(57)【要約】【課題】小型で安価に製造でき、調整の簡単な円二色性測定装置を提供する。【解決手段】試料Ｓを透過した光を広帯域波長板１４と偏光分離部１５に通すことで、試料位置において右回り円偏光だった成分と左回り偏光だった成分とを空間的に分離し、その差分を測定する。【選択図】  図１
2004340833.tif 000002
【特許請求の範囲】
【請求項１】
試料に左右の円偏光成分を等量含む光を照射する光照射部と、
試料を透過した右回り円偏光と左回り円偏光を互いに直交する直線偏光に変換する広帯域波長板と、
前記広帯域波長板から出射した互いに直交する直線偏光を分離する偏光分離部と、
前記偏光分離部によって分離された直線偏光をそれぞれ検出する第１及び第２の検出部とを含むことを特徴とする光学測定装置。
【請求項２】
請求項１記載の光学測定装置において、偏光子によって直線偏光を作り出すことにより左右の円偏光成分を等量にすることを特徴とする光学測定装置。
【請求項３】
請求項１又は２記載の光学測定装置において、前記光照射部は分光器を備えて単色光を発生し、前記第１及び第２の検出部はそれぞれ光検出器を備えることを特徴とする光学測定装置。
【請求項４】
請求項３記載の光学測定装置において、制御部と、前記第１及び第２の光検出器の出力を演算する演算部とを備え、前記制御部は前記分光器の出射波長を制御するとと共に前記演算部に波長制御情報を出力することを特徴とする光学測定装置。
【請求項５】
請求項１又は２記載の光学測定装置において、前記光照射部は複数の波長を含む直線偏光を発生し、前記第１及び第２の検出部はそれぞれマルチチャンネルアナライザを備えることを特徴とする光学測定装置。
【請求項６】
光源と、
前記光源からの光を分光して単色光を出射する分光器と、
前記分光器からの出射光を測定光と参照光とに分割する光分割器と、
前記測定光の光路上に配置された第１の偏光子と、
前記第１の偏光子を通った直線偏光が照射される試料を保持する試料保持部と、
前記試料保持部に保持された試料を透過した右回り円偏光と左回り円偏光を互いに直交する直線偏光に変換する広帯域波長板と、
前記広帯域波長板から出射した互いに直交する直線偏光を分離する偏光分離部と、
前記偏光分離部によって分離された直線偏光をそれぞれ検出する第１及び第２の光検出器と、
前記参照光の光路上に配置された第２の偏光子と、
前記第２の偏光子を通った直線偏光が照射される参照試料を保持する参照試料保持部と、
前記参照試料を透過した光を検出する第３の光検出器と
を含むことを特徴とする光学測定装置。
【請求項７】
請求項６記載の光学測定装置において、制御部と、前記第１及び第２の光検出器の出力を演算する演算部とを備え、前記制御部は前記分光器の出射波長を制御するとと共に前記演算部に波長制御情報を出力することを特徴とする光学測定装置。
【請求項８】
試料を周期的に励起する試料励起部と、
試料に単色の直線偏光を照射する光照射部と、
試料を透過した右回り円偏光と左回り円偏光を互いに直交する直線偏光に変換する広帯域波長板と、
前記広帯域波長板から出射した互いに直交する直線偏光を分離する偏光分離部と、
前記偏光分離部によって分離された直線偏光をそれぞれ検出する第１及び第２の光検出器と、
前記第１及び第２の光検出部の出力から前記試料励起部による試料の励起に同期した信号を検出する第１及び第２のロックイン増幅器とを含むことを特徴とする光学測定装置。
【請求項９】
請求項８記載の光学測定装置において、前記試料励起部は試料に周期的な電圧を印加することを特徴とする光学測定装置。
【請求項１０】
請求項８記載の光学測定装置において、前記試料励起部は試料に周期的な励起光照射を行うことを特徴とする光学測定装置。
【請求項１１】
請求項８，９又は１０記載の光学測定装置において、制御部と、前記第１及び第２のロックイン増幅器の出力を演算する演算部とを備え、前記光照射部は光源及び前記光源からの光を分光して単色光を出射する分光器を有し、前記制御部は前記分光器の出射波長を制御するとと共に前記演算部に波長制御情報を出力することを特徴とする光学測定装置。
【請求項１２】
請求項１〜１１のいずれか１項記載の光学測定装置において、前記広帯域波長板としてフレネルロムを用いることを特徴とする光学測定装置。
【請求項１３】
請求項１〜１２のいずれか１項記載の光学測定装置において、前記偏光分離部は複数の偏光ビームスプリッタの組み合わせからなり、横偏光も縦偏光も１回の反射と１回の透過を経て出射させるものであることを特徴とする光学測定装置。
【発明の詳細な説明】
【０００１】
【発明の属する技術分野】
本発明は、光学測定装置に関し、特に円二色性を測定することのできる光学測定装置に関する。
【０００２】
【従来の技術】
円二色性とは右回り円偏光と左回り円偏光に対して試料が異なる吸収強度を示す性質であり、化学や生物学の分野では物質の構造決定や物質の同定、濃度測定のために利用される。従来の円二色性測定装置は、光弾性変調器によって右回り円偏光と左回り円偏光を作り出す（特許文献１，２）。図８は、従来の円二色性測定装置の概略構成図である。光源７１からの出射光は分光器７２によって単色光とされ、偏光子７３を通して直線偏光とされる。偏光子７３によって直線偏光となった光は、光弾性変調器７４によって円偏光に変換され、試料Ｓに照射される。試料Ｓを透過した円偏光の光は光検出器７５により検出される。測定の際には、光弾性変調器７４を制御して一定の周期で右回り円偏光と左回り円偏光を交互に作りだし、その周波数に同期した試料透過光の変化分を検出する。この方法によると散乱光などの影響を除去できるため、高精度な測定を行うことができる。
【０００３】
この他、二成分の光を空間的に分離して旋光性を測定する装置が特許文献３，４に記載されている。また、特許文献５には、光弾性変調器を試料より後段に設置した円二色性測定装置が記載されている。
【０００４】
【特許文献１】
特開２００１−１３３３９９号公報
【特許文献２】
特開昭５１−９４９８６号公報
【特許文献３】
特開平１１−２５８１５４号公報
【特許文献４】
特開平７−３１８４２９号公報
【特許文献５】
特開平６−３１７５１８号公報
【０００５】
【発明が解決しようとする課題】
しかし、光弾性変調器は、素子自体が高価な上、温度に敏感なため、温度コントローラーを併設する必要がある。加えて、時間的に分離された測定結果から信号を復元するために専用の電子回路が必要となる。従って、光弾性変調器を用いると装置が大型化、高価になる。また、ユーザーによる調整も容易ではない。更に、円偏光を作り出すためには光弾性変調器に適切な駆動電圧を印加する必要がある。しかし、必要な電圧は波長によってまちまちであるため、一度に広い波長範囲の光を円偏光にすることはできない。そのため、広い波長範囲を測定するには波長掃引が必要となり、測定に時間を要する。
【０００６】
このように、光弾性変調器を用いた従来の円二色性測定装置には、装置の大型化、大きな温度依存性、時間的に分離して測定し最後に信号を復元させる電子回路が必要、波長の狭帯域性等の問題点があった。また、既存の円二色性装置は装置の自由度が少なく、他の分光装置と組み合わせたり、新しい現象の測定に利用したりするのが困難であった。
【０００７】
本発明は、このような従来技術の問題点に鑑み、小型で安価に製造でき、またユーザーが簡単に調整できる円二色性測定装置を提供することを目的とする。また、本発明は、自由度の大きな円二色測定装置を提供することをも目的とする。
【０００８】
【課題を解決するための手段】
本発明では、試料透過光を広帯域波長板と偏光ビームスプリッタに通すことで、試料位置において右回り円偏光だった成分と左回り偏光だった成分とを試料の後方で空間的に分離して検出し、その差分を測定することで前記目的を達成する。この構成によると、高価な光弾性変調器が不要となるので、装置の小型化、低価格化が可能となる。広帯域波長板としては、フレネルロムやアクロマティック波長板を用いることができる。フレネルロムは、利用できる波長帯域が広く、性能の波長依存性も小さいため、本発明に用いる広帯域波長板として好ましい。
【０００９】
測定器としての性能を向上させる一つの方法として偏光ビームスプリッタの精度を高める方法がある。また、装置の調整は試料のない状態で２つの光検出器の出力が同じになるようにソフトウェア上で定数を乗ずればよい。光学系の調整や電子回路の調整は不要となるので専門的な知識を持たないユーザーでも簡単に調整が行えるようになる。
【００１０】
なお、フレネルロムにより作り出される位相差は９０度から多少ずれるため（約２度程度）、円二色性の測定結果に円複屈折がノイズとして加わる可能性がある。このような場合は、できるかぎり完全な無偏光光源を用意し、それを直接サンプルに入射し、偏光ビームスプリッタで偏光成分を分離してから分光器で波長を分解するという方法をとればよい。
【００１１】
本発明の一態様による光学測定装置は、試料に左右の円偏光成分を等量含む光を照射する光照射部と、試料を透過した右回り円偏光と左回り円偏光を互いに直交する直線偏光に変換する広帯域波長板と、広帯域波長板から出射した互いに直交する直線偏光を分離する偏光分離部と、偏光分離部によって分離された直線偏光をそれぞれ検出する第１及び第２の検出部とを含む。左右の円偏光成分を等量含む光は、例えば偏光子によって直線偏光を作り出すことで生成することができる。
【００１２】
照射部は分光器を備えて単色光を発生するものであってよい。このとき第１及び第２の検出部はそれぞれ光検出器とすることができる。また、第１及び第２の光検出器の出力を演算する演算部を備え、制御部によって分光器の出射波長を制御すると共に、制御部から演算部に波長制御情報を出力するように構成すると、波長掃引しながら試料の円二色性スペクトルを取得することができる。
【００１３】
あるいは、光照射部は複数の波長を含む直線偏光を発生するものであってもよい。このとき、第１及び第２の検出部はそれぞれマルチチャンネルアナライザを備えるのが好ましい。この構成によると、波長掃引することなく一度に試料の円二色性スペクトルを取得することができる。
【００１４】
本発明の他の態様による光学測定装置は、試料を周期的に励起する試料励起部と、試料に単色の直線偏光を照射する光照射部と、試料を透過した右回り円偏光と左回り円偏光を互いに直交する直線偏光に変換する広帯域波長板と、広帯域波長板から出射した互いに直交する直線偏光を分離する偏光分離部と、偏光分離部によって分離された直線偏光をそれぞれ検出する第１及び第２の光検出器と、第１及び第２の光検出部の出力から試料励起部による試料の励起に同期した信号を検出する第１及び第２のロックイン増幅器とを含む。
【００１５】
試料励起部は試料に周期的な電圧を印加するもの、あるいは試料に周期的な励起光照射を行うものとすることができる。この場合には、光照射部に光源及び分光器を備え、制御部によって分光器の出射波長を制御するとと共に、第１及び第２のロックイン増幅器の出力を演算する演算部に波長制御情報を供給することにより電場変調円二色性スペクトル、あるいは過渡円二色性スペクトルを取得することができる。
【００１６】
【発明の実施の形態】
以下、図面を参照して本発明の実施の形態を説明する。理解を容易にするために、以下の図において同じ機能を有する部分には同一の符合を付して説明する。
【００１７】
図１は、本発明による円二色性測定装置の基本的な構成例を示す概略図である。
ハロゲンランプやキセノンランプ等の光源１１からの出射光は、分光器１２によって単色光とされ、偏光子１３によって直線偏光とされて試料Ｓに照射される。試料Ｓは試料保持部に保持されている。試料透過光は、広帯域波長板としてのフレネルロム１４に入射される。フレネルロム１４は、入射した右回り円偏光と左回り円偏光を互いに直交する直線偏光に変換する作用をする。フレネルロム１４から出射した光は、偏光分離部１５に入射され、試料位置で右回り円偏光であった成分と左回り円偏光であった成分が分離され、２個の光検出器１６ａ，１６ｂでそれぞれ検出される。光検出器１６ａ，１６ｂの出力は演算部１７に入力され、演算部１７で演算された結果が表示部１９に表示される。分光器１２は制御部１８によって制御され、所望の波長光が出射される。制御部１８は、分光器１２を制御すると共に、演算部１７に分光器１２からの出射波長の情報を供給する。
【００１８】
上記構成例では広帯域波長板としてフレネルロムを用いたが、限定的な波長領域では薄型のアクロマティック波長板などを用いることもできる。薄型のアクロマティック波長板の使用は、装置の小型化の点では有利である。しかし、広帯域性を考慮すると、フレネルロムの方が好ましい。
【００１９】
光学素子の角度については、偏光子１２とフレネルロム１４は水平に配置し、偏光分離部１５は４５度傾けて設置する。ここで水平とは偏光子１２の側辺とフレネルロム１４の側辺が平行になる角度を意味し、機能的には偏光子１２から出た直線偏光が直線偏光のままフレネルロム１４から出る配置を指す。一方、４５度傾けるとはフレネルロム１４の側辺に対し、偏光ビームスプリッタ１５の側辺が４５度傾いていることを意味し、機能的にはフレネルロム１４から出た直線偏光が二等分されて１６ａ，１６ｂの光検出器に達するような配置を言う。
【００２０】
測定にあたっては、試料Ｓがない状態で２つの光検出器１６ａ，１６ｂの出力が同じ値を示すように装置を調整する。例えば、演算部１７において２つの光検出器１６ａ，１６ｂの出力に適当な定数をかけて同じ値となるように校正する。このようにして校正された光検出器１６ａの出力をＡ、光検出器１６ｂの出力をＢとするとき、（Ａ−Ｂ）／（Ａ＋Ｂ）を演算することにより、その測定波長における試料の円二色性を評価できる。広帯域波長板、特にフレネルロムの特性は広い波長領域で波長に依存しない。従って、制御部１８で分光器１２を制御して波長掃引しながら各波長において光検出器１６ａ，１６ｂの出力から（Ａ−Ｂ）／（Ａ＋Ｂ）を演算することにより、試料Ｓの円二色性スペクトルを迅速に測定することができる。測定結果は表示部１９に表示される。
【００２１】
図２は、フレネルロムの原理を説明する図である。光が２つの媒質の界面で全反射するとき、Ｐ偏光とＳ偏光では異なる位相シフトを受ける。この位相シフトは２つの媒質（今の場合、ガラスと空気）の屈折率比と入射角にしか依存せず、直接的には波長に依存しないため、広い範囲の波長にわたって一定の位相差を作り出せる。フレネルロムでは２回の全反射により９０度の位相差を生むように設計されているため、光の進行方向を変えることなく偏光状態を制御することができる。こうして、波長に依存することなく、直線偏光を円偏光に、逆に円偏光を直線偏光に変換することができる。
【００２２】
図３は偏光分離部の説明図であり、図３（ａ）は一般的な偏光ビームスプリッタ、図３（ｂ）は本発明の円二色性測定装置に組み込まれる偏光分離部の説明図である。
【００２３】
本発明の装置に組み込まれる偏光分離部には、縦偏光と横偏光の光を正確に分離することが求められる。しかし市販の偏光子や、図３（ａ）に示す一般の偏光ビームスプリッタ２１では、透過側（Ｐ偏光）も反射側（Ｓ偏光）もどちらも偏光純度は１００％ではなく、また他成分の混合比率も等しくない。そこで、図３（ｂ）に示すように、複数の偏光ビームスプリッタ２２〜２４を組み合わせ、どちらの偏光光も一回の反射と一回の透過を経て光検出器へ達するようにするのが好ましい。図の例では、偏光ビームスプリッタ２２を透過した横偏光の光はもう一度偏光ビームスプリッタ２３で反射させて取り出す。また、偏光ビームスプリッタ２２で反射した縦偏光の光は、別の偏光ビームスプリッタ２４を透過させてから取り出す。このようにすると偏光純度が高くなり、散乱などによる光の減衰率も等しくなるためＳ／Ｎの向上が期待できる。
【００２４】
偏光分離部に複数の偏光ビームスプリッタを組み合わせたものを用いたことによる影響を補償するための装置調整は、試料のない状態で２つの光検出器の出力が同じになるように、ソフトウェア上で定数を乗ずることで行われる。光学系の調整や電子回路の調整は不要となるので、専門的な知識を持たないユーザーでも簡単に調整が行えるようになる。なお、カルサイトを用いた偏光子、偏光ビームスプリッタは、カルサイトの旋光性のために縦偏光と横偏光が混ざる可能性がある。従って、偏光子や偏光ビームスプリッタの材料としては、ＢＫ７や溶融石英のような光学不活性な素材を用いるのがよい。
【００２５】
本発明によると、光弾性変調器を用いることによる制約から解放されるので、円二色性測定装置を他の分光装置と組み合わせたり、新しい現象を測定するための装置の拡張も容易に行える。
【００２６】
例えば、円二色性測定と吸光光度測定との組み合わせである。一般に円二色性スペクトルは吸収スペクトルと比較して初めて意味を持つ。これまでは円二色性スペクトルの測定と吸収スペクトルの測定には別々の装置を用意する必要があり、測定が煩雑になると共に測定の間に試料が劣化する危険性もあった。本発明の原理を用いれば、吸光度計の検出器の一部を広帯域波長板や偏光ビームスプリッタに置き換えるだけで、吸収スペクトルと円二色性スペクトルを同一の装置でしかも同時に測定することが可能となる。
【００２７】
図４は、吸光光度計の機能をも有する本発明の円二色性測定装置の構成例を示す図である。
【００２８】
一般的な吸光光度計では分光器から出る光を２つに分け、一方を参照用試料に透過させ、他方を試料に通過させて、その透過光強度の比を測定する。図４に示した円二色性測定装置は、分光器１２と偏光子１３の間にハーフミラー３１を挿入して光路を分割する。ハーフミラー３１によって反射された光は反射ミラー３２で光路を曲げられ、偏光子３３を通って直線偏光とされた後、参照試料Ｒに入射する。参照試料Ｒは参照試料保持部に保持されている。参照試料Ｒを透過した光は光検出器１６ｃで検出され、参照試料Ｒの吸光度が測定される。偏光子３３は、試料Ｓへの照射光と参照試料Ｒへの照射光の条件を同じにするために、参照試料Ｒの前に配置したものである。試料Ｓの直後には、広帯域波長板１４と偏光分離部１５が配置され、偏光分離部１５によって分離された互いに直交する直線偏光を光検出器１６ａ，１６ｂで検出することで、試料透過光の右回り円偏光成分と左回り円偏光成分の強度を測定する。
【００２９】
光検出器１６ｃによって検出された参照試料Ｒの透過光強度をＣとするとき、演算部１７では、（Ａ−Ｂ）／（Ａ＋Ｂ）を演算することで、その測定波長における試料の円二色性を評価でき、ｌｏｇ（Ｃ／（Ａ＋Ｂ））を演算することで、その測定波長における試料の吸光度を評価できる。制御部１８で分光器１２を制御して波長掃引しながら、各波長において光検出器１６ａ，１６ｂ，１６ｃの出力から（Ａ−Ｂ）／（Ａ＋Ｂ）及びｌｏｇ（Ｃ／（Ａ＋Ｂ））を演算することにより、試料Ｓの円二色性スペクトルと吸収スペクトルを同時にかつ迅速に測定することができる。
【００３０】
他の例として電場変調円二色性測定と過渡円二色性測定について説明する。既存の円二色性測定装置では、光弾性変調器を交流電圧で駆動し、検出器からの信号を復調して測定信号を得ていた（この手法は位相敏感法またはロックイン検出法と呼ばれる）。本発明の円二色性測定装置では光弾性変調器が不要となるため、このロックイン検出法を他の用途に活用することができる。電場変調円二色性測定では試料に印加する交流電圧に同期した信号を検出することにより、過渡円二色性測定では励起光のオン・オフに同期した信号を検出することにより、電界または励起光により誘起された円二色性を観測することができる。
【００３１】
図５は、電場変調円二色性測定のための装置構成例を示す図である。この測定装置は、電場変調分光法と呼ばれる印加電圧による試料の光学特性の変化を測定する分光法と円二色測定法を組み合わせた測定装置である。
【００３２】
試料Ｓには、交流電源４１から電極４２，４３を介して一定周波数の交流電圧が印加される。光検出器１６ａ，１６ｂの出力はロックイン増幅器４４ａ，４４ｂに入力される。ロックイン増幅器４４ａ，４４ｂの参照入力には、交流電源４１からの信号が入力され、試料印加電圧に同期した信号が検出される。ロックイン増幅器４４ａ，４４ｂの検出出力は演算部１７に入力される。演算部１７では、２つの光検出器１６ａ，１６ｂのロックイン出力Ａ，Ｂから（Ａ−Ｂ）／（Ａ＋Ｂ）を演算することにより、電界によって励起された試料の円二色性を測定することができる。制御部１８で分光器１２を制御して波長掃引しながら、２つの光検出器１６ａ，１６ｂのロックイン出力Ａ，Ｂをもとに（Ａ−Ｂ）／（Ａ＋Ｂ）を演算することにより、電場変調円二色性スペクトルを測定することができる。測定結果は表示部１９に表示される。
【００３３】
図６は、過渡吸収測定と呼ばれる強い励起光による光学特性の変化を測定する分光法と円二色測定法とを組み合わせた測定装置の構成例を示す図である。
【００３４】
試料Ｓには、レーザ光源５１からの励起レーザ光と、分光器１２及び偏光子１３を通った測定光が照射される。励起レーザ光は、一定周期でオン・オフ制御されて試料Ｓに照射される。励起レーザ光のオン・オフ制御は、図示の例では制御部１８の制御下にあるチョッパー駆動部５２によってチョッパー５３を駆動することにより行っているが、制御部１８がレーザ光源５１を一定周期でパルス駆動することによりオン・オフ制御してもよい。
【００３５】
試料透過光は、フレネルロム１４などの広帯域波長板に入射され、試料位置での右回り円偏光と左回り円偏光は互いに直交する直線偏光に変換され、偏光分離部１５によって分離されて２個の光検出器１６ａ，１６ｂでそれぞれ検出される。光検出器１６ａ，１６ｂの出力は、参照信号としてチョッパー駆動部５２からのチョッパー駆動信号が入力されているロックイン増幅器４４ａ，４４ｂに入力され、励起レーザ光のオン・オフと同期して変化する検出信号強度が検出され、演算部１７に入力される。演算部１７では、２つの光検出器１６ａ，１６ｂのロックイン出力Ａ，Ｂから（Ａ−Ｂ）／（Ａ＋Ｂ）を演算することにより、レーザ光照射によって励起された試料の円二色性を測定することができる。制御部１８で分光器１２を制御して波長掃引しながら、２つの光検出器１６ａ，１６ｂのロックイン出力Ａ，Ｂをもとに（Ａ−Ｂ）／（Ａ＋Ｂ）を演算することにより、そのスペクトルを測定することができる。測定結果は表示部１９に表示される。
【００３６】
電界によって励起された試料の円二色性も、光照射によって励起された試料の円二色性も、信号強度が微弱なため、測定可能な試料はある程度限定されるが、これらの方法により、光学活性材料のより詳細な測定を行うことが可能となる。
【００３７】
図７は、本発明の他の例である時間分解能を有する円二色性測定装置の構成例を示す概略図である。この円二色性測定装置は、試料へ広帯域の波長光（例えば白色光）を入射させ、検出器の位置でマルチチャンネルアナライザにより波長分解と時間分解を同時に行うことで、その後の数値処理により時間分解の円二色性スペクトル測定を可能とするものである。これは光弾性変調器の狭帯域性がなくなったために可能となる測定法である。
【００３８】
白色光源１１からの光は偏光子１３を通って一定方向の直線偏光とされた後、試料Ｓに入射する。試料透過光はフレネルロム１４などの広帯域波長板に入射され、試料位置での右回り円偏光と左回り円偏光は互いに直交する直線偏光に変換され、偏光分離部１５に入射する。偏光分離部１５によって分離された互いに直交する方向の偏光光は２組のマルチチャンネルアナライザ６１ａ，６１ｂでそれぞれ検出される。マルチチャンネルアナライザとは回折格子と撮像素子（ＣＣＤ）が一体化された分光装置で、波長分解と多波長での光検出を同時に行うことのできる装置である。この装置では所望の波長範囲のスペクトル測定を約０．１秒程度で行うことが可能である。マルチチャンネルアナライザ６１ａ，６１ｂの出力は演算部１７に入射され、演算部１７では各波長に対してマルチチャンネルアナライザ６１ａの出力Ａとマルチチャンネルアナライザ６１ｂの出力Ｂをもとに（Ａ−Ｂ）／（Ａ＋Ｂ）を演算することにより、各波長における試料の円二色性を一度に測定することができる。演算結果は表示部１９に出力され、表示される。
【００３９】
図７に示した円二色性測定装置では、偏光分離部１５の直後に２組のマルチチャンネルアナライザ６１ａ，６１ｂを設置し、光源１１の光は分光器を通さずに直接偏光子１３へ入射させる。偏光子１３、フレネルロム１４、偏光分離部１５ともに４００ｎｍから２μｍ程度までの範囲にわたって波長依存性がないため、このような分光が可能となる。この方法により、従来のように分光器によって波長掃引する必要がないため、０．１秒程度の時間分解能で円二色性測定が可能となり、例えば合成過程の円二色性の変化などを追跡することが可能となる。
【００４０】
【発明の効果】
本発明によると、小型で調整が容易であり、自由度の大きな円二色測定装置が得られる
【図面の簡単な説明】
【図１】本発明による円二色性測定装置の基本的な構成例を示す概略図。
【図２】フレネルロムの原理を説明する図。
【図３】偏光分離部の説明図。
【図４】吸光度計の機能をも有する本発明の円二色性測定装置の構成例を示す図。
【図５】電場変調円二色性測定法のための装置構成例を示す図。
【図６】過渡吸収測定法と円二色測定法とを組み合わせた測定装置の構成例を示す図。
【図７】時間分解能を有する円二色性測定装置の構成例を示す概略図。
【図８】従来の円二色性測定装置の概略構成図。
【符号の説明】
１１：光源、１２：分光器、１３：偏光子、１４：フレネルロム、１５：偏光分離部、１６ａ，１６ｂ：光検出器、１７：演算部、１８：制御部、１９：表示部、２１〜２４：偏光ビームスプリッタ、３１：ハーフミラー、３２：反射ミラー、３３：偏光子、４１：交流電源、４２，４３：電極、４４ａ，４４ｂ：ロックイン増幅器、５１：レーザ光源、５２：チョッパー駆動部、５３：チョッパー、６１ａ，６１ｂ：マルチチャンネルアナライザ
【図１】
2004340833.tif 000003
【図２】
2004340833.tif 000004
【図３】
2004340833.tif 000005
【図４】
2004340833.tif 000006
【図５】
2004340833.tif 000007
【図６】
2004340833.tif 000008
【図７】
2004340833.tif 000009
【図８】
2004340833.tif 000010